【手続補正書】
【提出日】平成20年6月24日(2008.6.24)
【手続補正１】
【補正対象書類名】特許請求の範囲
【補正対象項目名】全文
【補正方法】変更
【補正の内容】
【特許請求の範囲】
【請求項１】
Ｔｏ−Ｄｏユーザインターフェイスにおいてタスク情報およびカレンダ情報を提供する方法であって、
前記Ｔｏ−Ｄｏユーザインターフェイスに、少なくとも１つのカレンダオブジェクトを含む予定ビューペインを投入するステップと、
前記Ｔｏ−Ｄｏユーザインターフェイスに、少なくとも１つのタスクオブジェクトを含むタスクリストを投入するステップと、
前記タスクリストに含まれる少なくとも１つのタスクオブジェクトを、少なくとも１つの論理グループに組織化するステップであって、所与の論理グループに含められる前記少なくとも１つのタスクオブジェクトのいずれも、前記所与の論理グループ化に関連づけられた整列タイプに属すステップと、
前記Ｔｏ−Ｄｏユーザインターフェイスを、より大きいユーザインターフェイスのコンポーネントとして表示するステップであって、前記Ｔｏ−Ｄｏユーザインターフェイスによって消費されない、前記より大きいユーザインターフェイスのエリアは、少なくとも１つのソフトウェアアプリケーションに関連づけられた機能および情報を表示するのに使うことができ、前記少なくとも１つのソフトウェアアプリケーションに関連づけられた機能および情報は、前記前記Ｔｏ−Ｄｏユーザインターフェイスに投入する情報に依存しないステップと、
前記Ｔｏ−Ｄｏユーザインターフェイスが前記予定ビューペインおよび前記タスクリストに投入されており、前記Ｔｏ−Ｄｏユーザインターフェイスによって消費されない、前記より大きいユーザインターフェイスの前記エリアに表示される第１のソフトウェアアプリケーションに関連づけられた機能および情報が、第２のソフトウェアアプリケーションに関連づけられた機能および情報に置き換えられた場合、前記Ｔｏ−Ｄｏユーザインターフェイスを、前記より大きいユーザインターフェイスのコンポーネントとして表示し続けるステップとを含むことを特徴とする方法。
【請求項２】
前記Ｔｏ−Ｄｏユーザインターフェイスに、少なくとも１つのカレンダオブジェクトを含む予定ビューペインを投入するのに先立って、カレンダのメモリから、前記少なくとも１つのカレンダオブジェクトを取得するステップと、
前記Ｔｏ−Ｄｏユーザインターフェイスに、少なくとも１つのタスクオブジェクトを含むタスクリストを投入するのに先立って、タスクのメモリから、前記少なくとも１つのタスクオブジェクトを取得するステップとをさらに含むことを特徴とする請求項１に記載の方法。
【請求項３】
前記Ｔｏ−Ｄｏユーザインターフェイスに、前記タスクリストに新規タスクオブジェクトを入力するタスク入力パネルを投入するステップをさらに含むことを特徴とする請求項１に記載の方法。
【請求項４】
前記Ｔｏ−Ｄｏユーザインターフェイスに、少なくとも１つのカレンダオブジェクトを含む予定ビューペインを配置した後で、少なくとも１つのカレンダオブジェクト記憶ソースから、少なくとも１つのカレンダオブジェクトを取得することと、
前記取得された少なくとも１つのカレンダオブジェクトを前記予定ビューペインに表示することを特徴とする請求項１に記載の方法。
【請求項５】
少なくとも１つのカレンダオブジェクト記憶ソースから、少なくとも１つのカレンダオブジェクトを取得することは、前記Ｔｏ−Ｄｏユーザインターフェイスによって、カレンダオブジェクトとして認識させるために印をつけられた少なくとも１つのデータオブジェクトを取得することを含むことを特徴とする請求項４に記載の方法。
【請求項６】
前記タスクリストに含まれる少なくとも１つのタスクオブジェクトを、少なくとも１つの論理グループに組織化するのに先立って、前記タスクリストに投入するために、少なくとも１つのタスクオブジェクトソースから、少なくとも１つのタスクオブジェクトを取得することを特徴とする請求項１に記載の方法。
【請求項７】
前記タスクリストに投入するために、少なくとも１つのタスクオブジェクトソースから、少なくとも１つのタスクオブジェクトを取得することは、前記Ｔｏ−Ｄｏユーザインターフェイスによって、タスクオブジェクトとして認識させるために印をつけられた少なくとも１つのデータ項目を取得することを含むことを特徴とする請求項６に記載の方法。
【請求項８】
前記Ｔｏ−Ｄｏユーザインターフェイスに、選択されているカレンダビューを示す日付選択制御を投入するステップをさらに含むことを特徴とする請求項１に記載の方法。
【請求項９】
前記選択制御に含まれる日付の選択に応答して、前記Ｔｏ−Ｄｏユーザインターフェイスによって消費されない、前記より大きいユーザインターフェイスの前記エリアに、カレンダユーザインターフェイスを起動し、前記起動されたカレンダユーザインターフェイスを、前記選択されている日付に設定することを特徴とする請求項８に記載の方法。
【請求項１０】
前記選択制御において日付に適用されたタスク項目を受け取ると、前記タスクリストに対して、前記タスク項目が適用される前記日付に関連づけられた前記タスクリスト中の位置に前記タスク項目を投入することを特徴とする請求項９に記載の方法。
【請求項１１】
改良型ユーザインターフェイスを提供するコンピュータ実装される方法であって、
少なくとも１つのカレンダオブジェクトを含む前記Ｔｏ−Ｄｏユーザインターフェイスの上部に配置される予定ビューペインをコンピュータによって表示するステップと、
少なくとも１つのタスクオブジェクトを含むＴｏ−Ｄｏユーザインターフェイスの下部に配置されるタスクリストをコンピュータによって表示するステップと、
前記Ｔｏ−Ｄｏユーザインターフェイスを、より大きいユーザインターフェイスのコンポーネントとしてコンピュータによって表示するステップであって、前記Ｔｏ−Ｄｏユーザインターフェイスによって消費されない、前記より大きいユーザインターフェイスのエリアは、前記Ｔｏ−Ｄｏユーザインターフェイスに関連しない少なくとも１つのソフトウェアアプリケーションに関連づけられた機能および情報を表示するのに使用可能であり、前記少なくとも１つのソフトウェアアプリケーションに関連づけられた機能および情報は、前記前記Ｔｏ−Ｄｏユーザインターフェイスに投入する情報に依存しないステップと
前記Ｔｏ−Ｄｏユーザインターフェイスが前記予定ビューペインおよび前記タスクリストを備えており、前記Ｔｏ−Ｄｏユーザインターフェイスによって消費されない、前記より大きいユーザインターフェイスの前記エリアに表示される第１のソフトウェアアプリケーションに関連づけられた機能および情報が、第２のソフトウェアアプリケーションに関連づけられた機能および情報で置き換えられた場合、前記Ｔｏ−Ｄｏユーザインターフェイスの表示を、前記より大きいユーザインターフェイスのコンポーネントとしてコンピュータによって持続的に表示するステップとを含むことを特徴とする方法。
【請求項１２】
新規タスクオブジェクトの入力を前記タスクリストに受け取る、前記タスクリストの上にタスク入力パネルをコンピュータによって表示するステップをさらに含むことを特徴とする請求項１１に記載の方法。
【請求項１３】
選択されているカレンダビューを示す、前記予定ビューペインの上に日付選択制御をコンピュータによって表示するステップをさらに含むことを特徴とする請求項１２に記載の方法。
【請求項１４】
コンピュータによって実行されると、Ｔｏ−Ｄｏユーザインターフェイスにおいてタスク情報およびカレンダ情報を提供する方法を実施するコンピュータ実行可能命令を含むコンピュータ読取可能記憶媒体であって、前記方法は、
前記Ｔｏ−Ｄｏユーザインターフェイスに、少なくとも１つのカレンダオブジェクトを含む予定ビューペインを投入するステップと、
前記Ｔｏ−Ｄｏユーザインターフェイスに、少なくとも１つのタスクオブジェクトを含むタスクリストを投入するステップと、
前記タスクリストに含まれる少なくとも１つのタスクオブジェクトを、少なくとも１つの論理グループに組織化するステップであって、所与の論理グループ化に含められる前記少なくとも１つのタスクオブジェクトのいずれも、前記所与の論理グループ化に関連づけられた整列タイプに属すステップと、
前記Ｔｏ−Ｄｏユーザインターフェイスを、より大きいユーザインターフェイスのコンポーネントとして表示するステップであって、前記Ｔｏ−Ｄｏユーザインターフェイスによって消費されない、前記より大きいユーザインターフェイスのエリアは、少なくとも１つのソフトウェアアプリケーションに関連づけられた機能および情報を表示するのに使うことができ、前記少なくとも１つのソフトウェアアプリケーションに関連づけられた機能および情報は、前記前記Ｔｏ−Ｄｏユーザインターフェイスに投入する情報に依存しないステップと、
前記Ｔｏ−Ｄｏユーザインターフェイスが前記予定ビューペインおよび前記タスクリストに投入されており、前記Ｔｏ−Ｄｏユーザインターフェイスによって消費されない、前記より大きいユーザインターフェイスの前記エリアに表示される第１のソフトウェアアプリケーションに関連づけられた機能および情報が、第２のソフトウェアアプリケーションに関連づけられた機能および情報で置き換えられた場合、前記Ｔｏ−Ｄｏユーザインターフェイスを、前記より大きいユーザインターフェイスのコンポーネントとして表示し続けるステップとを含むことを特徴とするコンピュータ読取可能記憶媒体。
【請求項１５】
前記Ｔｏ−Ｄｏユーザインターフェイスに、少なくとも１つのカレンダオブジェクトを含む予定ビューペインを投入するのに先立って、カレンダのメモリから、前記少なくとも１つのカレンダオブジェクトを取得するステップと、
前記Ｔｏ−Ｄｏユーザインターフェイスに、少なくとも１つのタスクオブジェクトを含むタスクリストを投入するのに先立って、タスクのメモリから、前記少なくとも１つのタスクオブジェクトを取得するステップとをさらに含むことを特徴とする請求項１４に記載のコンピュータ読取可能記憶媒体。
【請求項１６】
前記Ｔｏ−Ｄｏユーザインターフェイスに、前記タスクリストに新規タスクオブジェクトを入力するタスク入力パネルを投入するステップをさらに含むことを特徴とする請求項１４に記載のコンピュータ読取可能記憶媒体。
【請求項１７】
前記Ｔｏ−Ｄｏユーザインターフェイスに、選択されているカレンダビューを示す日付選択制御を投入するステップをさらに含むことを特徴とする請求項１４に記載のコンピュータ読取可能記憶媒体。
【請求項１８】
前記日付選択制御に含まれる日付の選択に応答して、前記Ｔｏ−Ｄｏユーザインターフェイスによって消費されない、前記より大きいユーザインターフェイスの前記エリアに、カレンダユーザインターフェイスを起動し、前記起動されたカレンダユーザインターフェイスを、前記選択されている日付に設定することを特徴とする請求項１７に記載のコンピュータ読取可能記憶媒体。
【請求項１９】
前記日付選択制御において日付に適用されたタスク項目を受け取ると、前記タスクリストに対して、前記タスク項目が適用される前記日付に関連づけられた前記タスクリスト中の位置に前記タスク項目を投入することを特徴とする請求項１７に記載のコンピュータ読取可能記憶媒体。
【請求項２０】
前記Ｔｏ−Ｄｏユーザインターフェイスに、少なくとも１つのカレンダオブジェクトを含む予定ビューペインを配置した後に、
少なくとも１つのカレンダオブジェクト記憶ソースから、少なくとも１つのカレンダオブジェクトを取得することと、
前記取得された少なくとも１つのカレンダオブジェクトを前記予定ビューペインに表示することを特徴とする請求項１４に記載のコンピュータ読取可能記憶媒体。
【請求項２１】
少なくとも１つのカレンダオブジェクト記憶ソースから、少なくとも１つのカレンダオブジェクトを取得することは、前記Ｔｏ−Ｄｏユーザインターフェイスによって、カレンダオブジェクトとして認識させるために印をつけられた少なくとも１つのデータオブジェクトを取得することを含むことを特徴とする請求項２０に記載のコンピュータ読取可能記憶媒体。
【請求項２２】
前記タスクリストに含まれる少なくとも１つのタスクオブジェクトを、少なくとも１つの論理グループに組織化するのに先立って、前記タスクリストに投入するために、少なくとも１つのタスクオブジェクトソースから、少なくとも１つのタスクオブジェクトを取得することを特徴とする請求項１４に記載のコンピュータ読取可能記憶媒体。
【請求項２３】
前記タスクリストに投入するために、少なくとも１つのタスクオブジェクトソースから、少なくとも１つのタスクオブジェクトを取得することは、前記Ｔｏ−Ｄｏユーザインターフェイスによって、タスクオブジェクトとして認識させるために印をつけられた少なくとも１つのデータ項目を取得することを含むことを特徴とする請求項２２に記載のコンピュータ読取可能記憶媒体。
【請求項２４】
Ｔｏ−Ｄｏユーザインターフェイスにおいてタスク情報およびカレンダ情報を提供する方法であって、
前記Ｔｏ−Ｄｏユーザインターフェイスに、少なくとも１つのカレンダオブジェクトを含む予定ビューペインを投入するステップと、
前記Ｔｏ−Ｄｏユーザインターフェイスに、少なくとも１つのタスクオブジェクトを含むタスクリストを投入するステップと、
前記Ｔｏ−Ｄｏユーザインターフェイスを、より大きいユーザインターフェイスのコンポーネントとして表示するステップであって、前記Ｔｏ−Ｄｏユーザインターフェイスによって消費されない、前記より大きいユーザインターフェイスのエリアは、少なくとも１つのソフトウェアアプリケーションに関連づけられた機能および情報を表示するのに使うことができ、前記少なくとも１つのソフトウェアアプリケーションに関連づけられた機能および情報は、前記前記Ｔｏ−Ｄｏユーザインターフェイスに投入する情報に依存しないステップと、
前記Ｔｏ−Ｄｏユーザインターフェイスが前記予定ビューペインおよび前記タスクリストに投入されており、前記Ｔｏ−Ｄｏユーザインターフェイスによって消費されない、前記より大きいユーザインターフェイスの前記エリアに表示される第１のソフトウェアアプリケーションに関連づけられた機能および情報が、第２のソフトウェアアプリケーションに関連づけられた機能および情報によって置き換えられた場合、前記Ｔｏ−Ｄｏユーザインターフェイスを、前記より大きいユーザインターフェイスのコンポーネントとして表示し続けるステップとを含むことを特徴とする方法。
【請求項２５】
前記Ｔｏ−Ｄｏユーザインターフェイスに、少なくとも１つのカレンダオブジェクトを含む予定ビューペインを投入するのに先立って、カレンダのメモリから、前記少なくとも１つのカレンダオブジェクトを取得するステップと、
前記Ｔｏ−Ｄｏユーザインターフェイスに、少なくとも１つのタスクオブジェクトを含むタスクリストを投入するのに先立って、タスクのメモリから、前記少なくとも１つのタスクオブジェクトを取得するステップとをさらに含むことを特徴とする請求項２４に記載の方法。
【請求項２６】
前記少なくとも１つのタスクオブジェクトを、少なくとも１つの論理グループに組織化するステップであって、所与の論理グループ化に含められる前記少なくとも１つのタスクオブジェクトのいずれも、前記所与の論理グループ化に関連づけられた整列タイプに属すステップをさらに含むことを特徴とする請求項２４に記載の方法。
【請求項２７】
タスクカテゴリ、タスク開始日、タスク期日、タスク割当て先、タスク作成者、タスクタイプ、およびカスタムタスク整列からなる整列タイプのグループから、整列タイプの選択を受け取るステップをさらに含むことを特徴とする請求項２６に記載の方法。
【請求項２８】
前記Ｔｏ−Ｄｏユーザインターフェイスに、前記タスクリストに新規タスクオブジェクトを入力するタスク入力パネルを投入するステップをさらに含むことを特徴とする請求項２４に記載の方法。
【請求項２９】
前記Ｔｏ−Ｄｏユーザインターフェイスに、選択されているカレンダビューを示す日付選択制御を投入するステップをさらに含むことを特徴とする請求項２４に記載の方法。
【請求項３０】
前記日付選択制御に含まれる日付の選択に応答して、前記Ｔｏ−Ｄｏユーザインターフェイスによって消費されない、前記より大きいユーザインターフェイスの前記エリアに、カレンダユーザインターフェイスを起動し、前記起動されたカレンダユーザインターフェイスを、前記選択されている日付に設定することを特徴とする請求項２９に記載の方法。
【請求項３１】
前記日付選択制御において日付に適用されたタスク項目を受け取ると、前記タスクリストに対して、前記タスク項目が適用される前記日付に関連づけられた前記タスクリスト中の位置に前記タスク項目を投入することを特徴とする請求項２９に記載の方法。
【請求項３２】
前記Ｔｏ−Ｄｏユーザインターフェイスの予定ビューペインに、少なくとも１つのカレンダオブジェクトを投入するステップは、前記Ｔｏ−Ｄｏユーザインターフェイスの前記予定ビューペインに、少なくとも１つの予定オブジェクトを投入するステップを含むことを特徴とする請求項２５に記載の方法。
【請求項３３】
コンピュータによって実行されると、Ｔｏ−Ｄｏユーザインターフェイスにおいてタスク情報およびカレンダ情報を提供する方法を実施するコンピュータ実行可能命令を含むコンピュータ読取可能記憶媒体であって、前記方法は、
前記Ｔｏ−Ｄｏユーザインターフェイスに、少なくとも１つのカレンダオブジェクトを含む予定ビューペインを投入するステップと、
前記Ｔｏ−Ｄｏユーザインターフェイスに、少なくとも１つのタスクオブジェクトを含むタスクリストを投入するステップと、
前記Ｔｏ−Ｄｏユーザインターフェイスを、より大きいユーザインターフェイスのコンポーネントとして表示するステップであって、前記Ｔｏ−Ｄｏユーザインターフェイスによって消費されない、前記より大きいユーザインターフェイスのエリアは、少なくとも１つのソフトウェアアプリケーションに関連づけられた機能および情報を表示するのに使うことができ、前記少なくとも１つのソフトウェアアプリケーションに関連づけられた機能および情報は、前記前記Ｔｏ−Ｄｏユーザインターフェイスに投入する情報に依存しないステップと、
前記Ｔｏ−Ｄｏユーザインターフェイスが前記予定ビューペインおよび前記タスクリストに投入されており、前記Ｔｏ−Ｄｏユーザインターフェイスによって消費されない、前記より大きいユーザインターフェイスの前記エリアに表示される第１のソフトウェアアプリケーションに関連づけられた機能および情報が、第２のソフトウェアアプリケーションに関連づけられた機能および情報で置き換えられた場合、前記Ｔｏ−Ｄｏユーザインターフェイスを、前記より大きいユーザインターフェイスのコンポーネントとして表示し続けるステップとを含むことを特徴とするコンピュータ読取可能記憶媒体。
【請求項３４】
前記Ｔｏ−Ｄｏユーザインターフェイスに、少なくとも１つのカレンダオブジェクトを含む予定ビューペインを投入するのに先立って、カレンダのメモリから、前記少なくとも１つのカレンダオブジェクトを取得するステップと、
前記Ｔｏ−Ｄｏユーザインターフェイスに、少なくとも１つのタスクオブジェクトを含むタスクリストを投入するのに先立って、タスクのメモリから、前記少なくとも１つのタスクオブジェクトを取得するステップとをさらに含むことを特徴とする請求項３３に記載のコンピュータ読取可能記憶媒体。
【請求項３５】
前記少なくとも１つのタスクオブジェクトを、少なくとも１つの論理グループに組織化するステップであって、所与の論理グループ化に含められる前記少なくとも１つのタスクオブジェクトのいずれも、前記所与の論理グループ化に関連づけられた整列タイプに属すステップをさらに含むことを特徴とする請求項３３に記載のコンピュータ読取可能記憶媒体。
【請求項３６】
タスクカテゴリ、タスク開始日、タスク期日、タスク割当て先、タスク作成者、タスクタイプ、およびカスタムタスク整列からなる整列タイプのグループから、整列タイプの選択を受け取るステップをさらに含むことを特徴とする請求項３５に記載のコンピュータ読取可能記憶媒体。
【請求項３７】
前記Ｔｏ−Ｄｏユーザインターフェイスに、前記タスクリストに新規タスクオブジェクトを入力するタスク入力パネルを投入するステップをさらに含むことを特徴とする請求項３３に記載のコンピュータ読取可能記憶媒体。
【請求項３８】
前記Ｔｏ−Ｄｏユーザインターフェイスに、選択されているカレンダビューを示す日付選択制御を投入するステップをさらに含むことを特徴とする請求項３３に記載のコンピュータ読取可能記憶媒体。
【請求項３９】
前記日付選択制御に含まれる日付の選択に応答して、前記Ｔｏ−Ｄｏユーザインターフェイスによって消費されない、前記より大きいユーザインターフェイスの前記エリアに、カレンダユーザインターフェイスを起動し、前記起動されたカレンダユーザインターフェイスを、前記選択されている日付に設定することを特徴とする請求項３８に記載のコンピュータ読取可能記憶媒体。
【請求項４０】
前記日付選択制御において日付に適用されたタスク項目を受け取ると、前記タスクリストに対して、前記タスク項目が適用される前記日付に関連づけられた前記タスクリスト中の位置に前記タスク項目を投入することを特徴とする請求項３８に記載のコンピュータ読取可能記憶媒体。
【請求項４１】
前記Ｔｏ−Ｄｏユーザインターフェイスの予定ビューペインに、少なくとも１つのカレンダオブジェクトを投入するステップは、前記Ｔｏ−Ｄｏユーザインターフェイスの前記予定ビューペインに、少なくとも１つまたは複数の予定を投入するステップを含むことを特徴とする請求項３４に記載のコンピュータ読取可能記憶媒体。
【請求項４２】
前記Ｔｏ−Ｄｏユーザインターフェイスによって消費されない、前記より大きいユーザインターフェイスの前記エリアに表示される前記第１のソフトウェアアプリケーションは、カレンダアプリケーション、タスクアプリケーション、メールアプリケーション、および連絡先アプリケーションの少なくとも１つであることを特徴とする請求項１に記載の方法。
【請求項４３】
前記第２のソフトウェアアプリケーションは、カレンダアプリケーション、タスクアプリケーション、メールアプリケーション、および連絡先アプリケーションの少なくとも１つであることを特徴とする請求項１に記載の方法。